(57)【要約】      （修正有）【課題】物干しアングル下部に竿掛け部を増やし、固定されている効果のある吊り掛具を提供する。【解決手段】吊り掛部筒体１の下部に設けられた逆Ｕ字状差し込み口２または３をアングル先端部に挿入し装着する。逆Ｕ字状差し込み口の両側面にピンの使用で離脱を防止する孔を設け、下部に掛部を有し構成される。【選択図】図１
2004321752.tif 000002
【特許請求の範囲】
【請求項１】
団地等に既設の、物干しアングル先端部より、吊り掛部筒体を挿入し、先端部、垂直部、湾曲部上部、に掛け装着する。吊り下げ部材の下に、掛部を有する吊り掛具。
【請求項２】
吊り掛部筒体下部に、設けられた逆Ｕ字状差し込み口両側面に、離脱防止ピンの挿入孔を設け、ピンの使用により、アングル先端部から離脱を防ぐ、請求項１、記載の吊り掛け具。
【請求項３】
吊り掛部筒体下部に、設けられた逆Ｕ字状差し込み口両側の接触部により、吊り下げ部材、下の掛部が、回転するのを防ぐ、請求項１、２、記載の吊り掛具
【請求項４】
請求項３、記載の逆Ｕ字状差し込み口を前後に設けた、請求項１、２、３、記載の吊り掛具
【発明の詳細な説明】
【０００１】
【発明の属する技術分野】
本発明は、団地等に既設の物干し竿掛け具、以下物干しアングル、アングル先端部より、吊り掛部筒体を挿入し、先端部、垂直部、湾曲部上部、に掛け装着する。吊り下げ部材の下に、掛部を有する、吊り掛具に関する。
【０００２】
【従来の技術】
従来、物干しアングルを使用した場合、主に物干し竿をかける、竿掛部が２本分しかなく、Ｓ字状フックやロープなどを使用し、竿掛部を増やし使用していた。
【０００３】
【発明が解決しようとする課題】
これに次のような欠点があつた、Ｓ字状フックを使用した場合、風などによる障害、揺れ、フックの移動、物干し竿からの脱落、またＳ字状フックは、固定されていない為  物干し竿の掛け外し時、フックが、移動、回転、する為作業が、めんどうである。このような、問題を解決しようとするのを目的とするものである。
【０００４】
【課題を解決するための手段】
そこで本発明は、物干しアングル先端部より、吊り掛部筒体を挿入し、先端部、垂直部、湾曲部上部、に掛け装着する。吊り下げ部材の下に、掛部を有する吊り掛具。を提案する。請求項１、記載のものである。
【０００５】
また  吊り掛部筒体下部に、設けられた逆Ｕ字状差し込み口両側面に、離脱防止ピンの挿入孔を設け、ピンの使用により、アングル先端から離脱を防ぐ、請求項１、記載の吊り掛け具。を提案する。請求項２、記載のものである。
【０００６】
また、吊り掛部筒体下部に、設けられた逆Ｕ字状差し込み口両側の接触面により、吊り下げ部材、下の掛部が、回転するのを防ぐ、請求項１、２、記載の吊吊り掛具を提案する。請求項３、記載のものである。
【０００７】
また、請求項３、記載の逆Ｕ字状差し込み口を前後に設けた、請求項１、２、３、記載の吊り掛具。を提案する。請求項４、記載のものである。
【０００８】
【発明の実施形態】
以上の本発明の実施形態について以下、図を参照して説明する。図１、は、本発明を装着した全体図である。上部から、吊り掛部筒体、逆Ｕ字状差し込み口、吊り下部材、掛部、を主に構成されている。外見の形状は、吊り掛部筒体、逆Ｕ字状差し込み口、吊り下部材、は円柱状、であり、掛部は、物干し竿を掛ける、と想定する大きさで、フック状のものである。材質は、アルミニュウムなどの、金属類、また、ポリプロピレンなどの合成樹脂、等が、望ましい。
【０００９】
図１、で示す、吊り掛部筒体１、の内部は、空洞、円柱形となっており、逆Ｕ字状差し込口２、より、アングル先端部、垂直部、湾曲部上部、へ挿入し、装着する。吊り掛部筒体の内部の直径は、アングルの直径と同等、または、それ以上アングルの直径に近いものとする。使用時には、吊り掛部筒体により、縦揺れ、横揺れを軽減、防止する部分である。    請求項１、記載のものである。
【００１０】
図２、で示す  離脱防止ピンの挿入孔、４ａ、４ｂ、また、５ａ、５ｂ、は、逆Ｕ字状差し込み口両側面に、設けられる。装着後、アングル側近の４ａ、４ｂ、または、５ａ、５ｂ、へ差し込まれる。この孔は、両側面同位置に数個、設けられる。離脱防止ピン６、の使用により、アングル湾曲部では、離脱しようとするが垂直部では、停止する為、先端部から離脱を防ぐ部分である。    請求項２記載のものである。
【００１１】
図２、で示す、逆Ｕ字状差し込み口２、より装着された吊り掛部筒体は、逆Ｕ字状差し込み口両側の接触部２ａ、２ｂ、の接触により、吊り下げ部材、下の掛部が、回転するのを防ぐ部分である。    請求項３、記載のものである。
【００１２】
図３、で示す、逆Ｕ字状差し込み口３、は、図２、で示す、逆Ｕ字状差し込み口２、と同様の形状である。後面に、設けられた逆Ｕ字状差し込み口２、の反対面、前面に設けられる。位置は、同位置または、少し下に移動してもよい、また逆Ｕ字状差し込み口２、と同様に３ａ、３ｂ、の接触により、吊り下げ部材、下の掛部が、回転するのを防ぐ部分である。      請求項４、記載のものである。
【００１３】
図１、で示す、吊り下げ部材７、の長さは、４００ｍｍ  以内が望ましい。吊り下げ部材、下の掛部８、は、円柱、または、平板をフック状にしたものでよい。ピンの形状は、直線または、半円形状、部線部を孔へ挿入する。
【００１４】
【発明の効果】
このようにすれば、吊り掛部筒体の作用により、縦揺れ、横揺れを軽減、防止する。又、吊り下げ部材の長さにより、掛部が降下する為、物干し作業が、しやすくなる。又、差し込むことにより極めて簡単に装着できる。
【００１５】
離脱防止ピンの使用により、アングル湾曲部では、離脱しようとするが、垂直直部では、停止する為、先端部から離脱を防ぐ。
【００１６】
装着された吊り掛部筒体は、逆Ｕ字状差し込み口両側の接触部、の接触により吊り下げ部材、下の掛部が、回転するのを防ぐことにより、物干し竿の掛、はずしが、しやすくなる。
【００１７】
前後、両面に設けられた、逆Ｕ字状差し込み口により、前面、後面を差し変える。ことにより、吊り下げ部材、下の掛部が、向きを変える為、物干し用途により、作業が、しやすくなる。
【図面の簡単な説明】
【図１】装着した、横全体図
【図２】上部、後面図
【図３】上部、前面図
【符号の説明】
Ａ−  物干しアングル        ３ａ、３ｂ−  接触部
１−  吊り掛部筒体          ４ａ、４ｂ−  離脱防止孔
２−  逆Ｕ字状差し込み口    ５ａ、５ｂ−  離脱防止孔
２ａ、２ｂ−  接触部        ６−  離脱防止ピン
３−  逆Ｕ字状差し込み口    ７−  吊り下げ部材
８−  掛部
【図１】
2004321752.tif 000003
【図２】
2004321752.tif 000004
【図３】
2004321752.tif 000005
【手続補正書】
【提出日】平成15年8月18日(2003.8.18)
【手続補正１】
【補正対象書類名】明細書
【補正対象項目名】請求項１
【補正方法】変更
【補正の内容】
【請求項１】
団地等に既設の、物干しアングル先端部より、吊り掛部筒体を挿入し、先端部、直線部、に吊り掛け装着する。下部に、掛部を有する。吊り掛具。
【手続補正２】
【補正対象書類名】明細書
【補正対象項目名】０００１
【補正方法】変更
【補正の内容】
【０００１】
【発明の属する技術分野】
本発明は、団地等に既設の物干し竿掛け具、以下物干しアングル、アングル先端部より、吊り掛部筒体を挿入し、先端部、直線部、に吊り掛け装着する。下部に、掛部を有する、吊り掛具に関する。


【手続補正３】
【補正対象書類名】明細書
【補正対象項目名】０００４
【補正方法】変更
【補正の内容】
【０００４】
【課題を解決するための手段】
そこで本発明は、物干しアングル先端部より、吊り掛部筒体を挿入し、先端部、直線部、に吊り掛け装着する。下部に、掛部を有する吊り掛具。を提案する。請求項１、記載のものである。


【手続補正４】
【補正対象書類名】明細書
【補正対象項目名】０００８
【補正方法】変更
【補正の内容】
【０００８】
【発明の実施形態】
以上の本発明の実施形態について以下、図を参照して説明する。図１、は、本発明を装着した全体図である。材質は、アルミニュウムなどの金属類、また、ポリプロピレンなどの合成樹脂、等が望ましい。ピンの形状については限定するものではない。


【手続補正５】
【補正対象書類名】明細書
【補正対象項目名】０００９
【補正方法】変更
【補正の内容】
【０００９】
図１、で示す、吊り掛部筒体１、の内部は、空洞、円柱形となっており、逆Ｕ字状差し込み□２、より、アングル先端部、直線部、へ挿入し、装着する。吊り掛部筒体の内部の直径は、アングルの直径と同等位、または、それ以上でありアングルの直径に同等位とするものである。使用時には、吊り掛部筒体により、横揺れを軽減、防止する部分である。
請求項１、記載のものである。


【手続補正６】
【補正対象書類名】明細書
【補正対象項目名】００１０
【補正方法】変更
【補正の内容】
【００１０】
図２、で示す  離脱防止ピンの挿入孔、４ａ、４ｂ、また、５ａ、５ｂ、は、逆Ｕ字状差し込み□両側面に、設けられる。装着後、アングル側近の４ａ、４ｂ、または、５ａ、５ｂ、へ差し込まれる。この孔は、両側面同位置に数個、設けられる。離脱防止ピンの使用により、アングル湾曲部では、離脱しようとするが直線部では、停止する為、先端部よりの離脱を防ぐ部分である。    請求項２、記載のものである。


【手続補正７】
【補正対象書類名】明細書
【補正対象項目名】００１３
【補正方法】変更
【補正の内容】
【００１３】
図１、で示す、吊り下げ部材７、の長さは、０ｍｍ  または、４００ｍｍ  以内が望ましい。下部の掛部８、は、円柱をフック状にしたもの、または、平板をフック状にしたものなど、大きさは、アングル同様、物干し竿掛け、として使用する程度のものである。


【手続補正８】
【補正対象書類名】明細書
【補正対象項目名】００１５
【補正方法】変更
【補正の内容】
【００１５】
離脱防止ピンの使用により、アングル湾曲部では、離脱しようとするが、直線部では、停止する為、先端部よりの離脱を防ぐ。


【手続補正１０】
【補正対象書類名】図面
【補正対象項目名】図１
【補正方法】変更
【補正の内容】
【図１】
2004321752.tif 000006